(57)【特許請求の範囲】
【請求項１】
セルラー無線ネットワークの接続を再構成する方法であって、
移動局とネットワーク部分との間に少なくとも１つの無線ベアラを介したセルラー無線ネットワーク接続を確立する段階と、
前記接続の第１当事者から該接続の第２当事者に対して、確立された前記セルラー無線ネットワーク接続に用いられた前記少なくとも１つの無線ベアラに関する無線ベアラ再構成要求メッセージを送信する段階と、
前記接続の前記第２当事者から該接続の前記第１当事者に対して前記無線ベアラ再構成要求メッセージに対する応答メッセージを送信する段階と、
を含み、
前記無線ベアラ再構成要求メッセージが、少なくとも１つの無線ベアラ識別子と、当該無線ベアラのベアラクオリティオブサービス（QoS）と、を含み、
前記送信する段階のうちの少なくとも一方が、前記確立する段階の後に実行される、
ことを特徴とする方法。
【請求項２】
前記クオリティオブサービス（QoS）が、少なくとも１つのパラメータにより指示される、請求項１に記載の方法。
【請求項３】
前記パラメータが、少なくとも１つのＬＬＣサブ層パラメータである、請求項２に記載の方法。
【請求項４】
前記パラメータが少なくとも１つのＲＬＣサブ層パラメータである、請求項２に記載の方法。
【請求項５】
前記無線ベアラがシグナリングに使用される請求項１に記載の方法。
【請求項６】
前記無線ベアラが通信に使用される請求項１に記載の方法。
【請求項７】
前記セルラー無線ネットワーク接続において前記少なくとも１つの無線ベアラを介して前記移動局と前記ネットワーク部分との間でデータを伝送する段階をさらに含み、
前記送信する段階が前記伝送する段階の後に実行される、請求項１に記載の方法。
【請求項８】
セルラー無線ネットワーク接続を再構成する方法であって、
移動局とネットワーク部分との間に少なくとも１つの無線ベアラを介したセルラー無線ネットワーク接続を確立する段階と、
前記接続の第１当事者から該接続の第２当事者に対して、確立された前記セルラー無線ネットワーク接続に用いられた前記少なくとも１つの無線ベアラに関する無線ベアラ再構成要求メッセージを送信する段階と、
前記接続の前記第２当事者から該接続の前記第１当事者に対して前記無線ベアラ再構成要求メッセージに対する応答メッセージを送信する段階と、
を含み、
前記無線ベアラ再構成要求メッセージが、少なくとも１つの無線ベアラ識別子と、当該無線ベアラの再構成失敗の原因と、を含み、
前記送信する段階のうちの少なくとも一方が、前記確立する段階の後に実行される、
ことを特徴とする方法。
【請求項９】
前記セルラー無線ネットワーク接続において前記少なくとも１つの無線ベアラを介して前記移動局と前記ネットワーク部分との間でデータを伝送する段階をさらに含み、
前記送信する段階が前記伝送する段階の後に実行される、請求項８に記載の方法。
【請求項１０】
セルラー無線ネットワークの接続を再構成する方法であって、
移動局とネットワーク部分との間に少なくとも１つの無線ベアラを介したセルラー無線ネットワーク接続を確立する段階と、
前記接続の第１当事者から該接続の第２当事者に対して、確立された前記セルラー無線ネットワーク接続に用いられた前記少なくとも１つの無線ベアラに関する無線ベアラ再構成要求メッセージを送信する段階と、
を含み、
前記接続の当事者が、物理層の同期を監視することにより前記再構成の成功を検出し、
前記送信する段階が、前記確立する段階の後に実行される、
ことを特徴とする方法。
【請求項１１】
前記接続の前記第２当事者が、該接続の前記第１当事者に対して前記無線ベアラ再構成要求メッセージに対する応答メッセージを送信する、請求項１０に記載の方法。
【請求項１２】
前記無線ベアラ再構成要求メッセージが少なくとも１つの無線ベアラ識別子を含む、請求項１０に記載の方法。
【請求項１３】
前記無線ベアラ再構成要求メッセージが当該無線ベアラのベアラクオリティオブサービス（QoS）を含む、請求項１０に記載の方法。
【請求項１４】
前記無線ベアラ再構成要求メッセージが少なくとも前記無線ベアラの暗号パラメータを含む、請求項１０に記載の方法。
【請求項１５】
前記無線ベアラ再構成要求メッセージが少なくともサブ層処理パラメータを含む、請求項１０に記載の方法。
【請求項１６】
前記無線ベアラ再構成要求メッセージが少なくとも物理層処理パラメータを含む、請求項１０に記載の方法。
【請求項１７】
前記無線ベアラがシグナリングに使用される請求項１０に記載の方法。
【請求項１８】
前記無線ベアラが通信に使用される請求項１０に記載の方法。
【請求項１９】
前記セルラー無線ネットワーク接続において前記少なくとも１つの無線ベアラを介して前記移動局と前記ネットワーク部分との間でデータを伝送する段階をさらに含み、
前記送信する段階が前記伝送する段階の後に実行される、請求項１に記載の方法。
【請求項２０】
少なくとも１つの無線ベアラを介した移動局との接続を有するネットワーク部分を有する予め確立されたセルラー無線ネットワーク接続を再構成する方法であって、
前記接続の第１当事者が該接続の第２当事者に対して、前記予め確立されたセルラー無線ネットワーク接続に用いられた少なくとも１つの無線ベアラに関する無線ベアラ再構成要求メッセージを送信し、
前記接続の前記第２当事者が該接続の前記第１当事者に対して前記無線ベアラ再構成要求メッセージに対する応答メッセージを送信し、
該応答メッセージが、少なくとも１つの無線ベアラ識別子と、当該無線ベアラの再構成失敗の原因と、を含み、
クオリティオブサービス（ベアラQoS）が、少なくとも１つのパラメータにより指示され、
前記パラメータが、ビットエラー率、最大送信遅延、送信遅延偏差、優先順位、セキュリティ及びハンドオーバ時のデータロスを含むグループから選択される、
ことを特徴とする方法。
【請求項２１】
少なくとも１つの無線ベアラを介した移動局との接続を有するネットワーク部分を有する予め確立されたセルラー無線ネットワーク接続を再構成する方法であって、
前記接続の第１当事者が該接続の第２当事者に対して、前記予め確立されたセルラー無線ネットワーク接続に用いられた少なくとも１つの無線ベアラに関する無線ベアラ再構成要求メッセージを送信し、
前記接続の前記当事者が、物理層の同期を監視することにより前記再構成の成功を検出し、
前記無線ベアラ再構成要求メッセージが、少なくとも１つのスタート時間指示子を含み、
該スタート時間指示子が、前記再構成により決定されたパラメータを使用しなければならないフレームの番号である、
ことを特徴とする方法。
【請求項２２】
少なくとも１つの無線ベアラを介した移動局との接続を確立するように構成されたネットワーク部分のネットワーク層のプロトコルソフトウェアと、
少なくとも１つの無線ベアラを介した前記ネットワーク部分との接続を確立するように構成された前記移動局のネットワーク層のプロトコルソフトウェアと、
を具備し、
前記ネットワーク部分の前記ネットワーク層の前記プロトコルソフトウェアが、さらに、前記移動局の前記ネットワーク層の前記プロトコルソフトウェアに対して、前記接続に用いられた前記少なくとも１つの無線ベアラに関する無線ベアラ再構成要求メッセージを送信するように構成されており、
前記移動局の前記ネットワーク層の前記プロトコルソフトウェアが、さらに、前記ネットワーク部分の前記ネットワーク層の前記プロトコルソフトウェアに対して前記無線ベアラ再構成要求メッセージに対する応答メッセージを送信するように構成されており、
前記無線ベアラ再構成要求メッセージが、少なくとも１つの無線ベアラ識別子と、当該無線ベアラのベアラクオリティオブサービス（QoS）と、を含む、
ことを特徴とするセルラー無線ネットワーク。
【請求項２３】
少なくとも１つの無線ベアラを介した移動局との接続を確立するように構成されたネットワーク部分のネットワーク層のプロトコルソフトウェアと、
少なくとも１つの無線ベアラを介した前記ネットワーク部分との接続を確立するように構成された前記移動局のネットワーク層のプロトコルソフトウェアと、
を具備し、
前記ネットワーク部分の前記ネットワーク層の前記プロトコルソフトウェアが、さらに、前記移動局の前記ネットワーク層の前記プロトコルソフトウェアに対して、前記接続に用いられた前記少なくとも１つの無線ベアラに関する無線ベアラ再構成要求メッセージを送信するように構成され、
前記移動局の前記ネットワーク層の前記プロトコルソフトウェアが、さらに、前記ネットワーク部分の前記ネットワーク層の前記プロトコルソフトウェアに対して前記無線ベアラ再構成要求メッセージに対する応答メッセージを送信するように構成されており、
前記応答メッセージが、少なくとも１つの無線ベアラ識別子と、当該無線ベアラの再構成失敗の原因と、を含む、
ことを特徴とするセルラー無線ネットワーク。
【請求項２４】
前記ベアラクオリティオブサービスが、少なくとも１つのパラメータにより指示される、請求項２２に記載のセルラー無線ネットワーク
【請求項２５】
前記パラメータが、ビットエラー率、最大送信遅延、送信遅延偏差、優先順位、セキュリティ及びハンドオーバ時のデータロスを含むグループから選択される、請求項２４に記載のセルラー無線ネットワーク。
【請求項２６】
前記パラメータが少なくとも１つのＬＬＣサブ層パラメータである、請求項２４に記載のセルラー無線ネットワーク。
【請求項２７】
前記パラメータが少なくとも１つのＲＬＣサブ層パラメータである、請求項２４に記載のセルラー無線ネットワーク。
【請求項２８】
前記無線ベアラがシグナリングに使用されるように構成されている請求項２２に記載のセルラー無線ネットワーク。
【請求項２９】
前記無線ベアラが通信に使用されるように構成されている請求項２２に記載のセルラー無線ネットワーク。
【請求項３０】
少なくとも１つの無線ベアラを介した移動局との接続を確立するように構成されたネットワーク部分のネットワーク層のプロトコルソフトウェアと、
少なくとも１つの無線ベアラを介した前記ネットワーク部分との接続を確立するように構成された前記移動局のネットワーク層のプロトコルソフトウェアと、
を具備し、
前記移動局の前記ネットワーク層の前記プロトコルソフトウェアが、さらに、前記ネットワーク部分の前記ネットワーク層の前記プロトコルソフトウェアに対して、前記接続に用いられた前記少なくとも１つの無線ベアラに関する無線ベアラ再構成要求メッセージを送信するように構成されており、
前記ネットワーク部分の前記ネットワーク層の前記プロトコルソフトウェアが、さらに、前記移動局の前記ネットワーク層の前記プロトコルソフトウェアに対して前記無線ベアラ再構成要求メッセージに対する応答メッセージを送信するように構成されており、
前記無線ベアラ再構成要求メッセージが、少なくとも１つの無線ベアラ識別子と、当該無線ベアラのベアラクオリティオブサービス（QoS）と、を含む、
ことを特徴とするセルラー無線ネットワーク。
【請求項３１】
前記応答メッセージが、少なくとも１つの無線ベアラ識別子と、当該無線ベアラの再構成失敗の原因と、を含む、請求項３０に記載のセルラー無線ネットワーク。
【請求項３２】
前記ベアラクオリティオブサービスが少なくとも１つのパラメータにより指示される、請求項３０に記載のセルラー無線ネットワーク。
【請求項３３】
前記パラメータが、ビットエラー率、最大送信遅延、送信遅延偏差、優先順位、セキュリティ及びハンドオーバ時のデータロスを含むグループから選択される、請求項３２に記載のセルラー無線ネットワーク。
【請求項３４】
前記パラメータが少なくとも１つのＬＬＣサブ層パラメータである、請求項３２に記載のセルラー無線ネットワーク。
【請求項３５】
前記パラメータが少なくとも１つのＲＬＣサブ層パラメータである、請求項３２に記載のセルラー無線ネットワーク。
【請求項３６】
前記無線ベアラがシグナリングに使用されるように構成されている、請求項３０に記載のセルラー無線ネットワーク。
【請求項３７】
前記無線ベアラが通信に使用されるように構成されている、請求項３０に記載のセルラー無線ネットワーク。
【請求項３８】
セルラーネットワークのネットワーク部分であって、
少なくとも１つの無線ベアラを介した前記セルラーネットワークの移動局との接続を有するように構成された、前記ネットワーク部分のネットワーク層のプロトコルソフトウェアを具備し、
前記ネットワーク部分の前記ネットワーク層の前記プロトコルソフトウェアが、さらに、前記移動局のネットワーク層のプロトコルソフトウェアに対して、前記接続に用いられた少なくとも１つの無線ベアラに関する無線ベアラ再構成要求メッセージを送信するように構成されており、
前記無線ベアラ再構成要求メッセージが、少なくとも１つの無線ベアラ識別子と、当該無線ベアラのベアラクオリティオブサービスと、を含む、
ことを特徴とするネットワーク部分。
【請求項３９】
セルラーネットワークの移動局であって、
少なくとも１つの無線ベアラを介した前記セルラーネットワークのネットワーク部分との接続を有するように構成された、前記移動局のネットワーク層のプロトコルソフトウェアを具備し、
前記移動局のネットワーク層の前記プロトコルソフトウェアが、さらに、前記ネットワーク部分のネットワーク層のプロトコルソフトウェアに対して、前記接続に用いられた少なくとも１つの無線ベアラに関する無線ベアラ再構成要求メッセージに対する応答メッセージを送信するように構成されており、
前記応答メッセージが、少なくとも１つの無線ベアラ識別子と、当該無線ベアラの再構成失敗の原因と、を含む、
ことを特徴とする移動局。
【発明の詳細な説明】
【０００１】
【技術分野】
本発明は、セルラー無線ネットワークの接続再構成方法に係る。特に、再構成は、ネットワーク部分と移動ステーションとの間に接続を与える無線ベアラに関する。
【０００２】
【背景技術】
ＧＳＭシステムでは、接続再構成がコールモードの変更に関連する。この手順は、イン・コール変更として知られている。「モード」という用語は、コールの動作状態を意味し、例えば、標準スピーチモード、データモード、ファックスモード、スピーチ／データ交番モード、又はスピーチ／ファックス交番モードがある。従って、接続を再構成するときには、そのモードを、例えばスピーチモードからデータモードへ変更することができる。接続に使用されるチャンネルが必要な特性をサポートしない場合には、チャンネルの構成を変更することができる。しかしながら、ＧＳＭシステムから知られている解決策は、以下に述べるＵＭＴＳ（ユニバーサル移動電話システム）に適用することができない。その理由は、ＵＭＴＳでは、単一の接続が１つ以上の無線ベアラを同時に使用できるからである。無線ベアラの特性は、接続を確立するとき又は接続中に、変更できねばならない。
【０００３】
「無線ベアラ」という用語は、ネットワーク層によって提供されるサービスを指す。マルチメディアサービスは、通常、複数の無線ベアラを同時に使用して、サービスを提供する。例えば、ビデオ電話は、４つの異なる無線ベアラを必要とし、即ちスピーチ及び映像の送信がアップリンク及びダウンリンクに別々の無線ベアラを使用する。又、ビデオ電話のようなマルチメディアサービスは、送信方向当たり１つの無線ベアラのみを使いて実施することができ、従って、同じ送信方向における無線ベアラ間の同期の問題を回避する。無線ベアラパラメータは、第１及び第２層のほとんどの動作パラメータを含む。しかしながら、無線ベアラのユーザは、下位層のパラメータを知らない。それ故、無線ベアラのユーザは、無線ベアラがそのサービスをいかに提供するか、即ちそれがＴＤＭＡタイムスロットの半分を使用するか、又は１つのタイムスロットを使用するか、又は複数のタイムスロットを使用するか、或いは１つ以上のＣＤＭＡ拡散コードを使用するか知らない。
無線ベアラは、提供されるサービスのトラフィック又はクオリティ特性に関連した１組のパラメータ又は属性によって定義される。無線ベアラは、データリンク層によって提供されるサービスである論理的チャンネルと同様であるとはみなされない。
【０００４】
【発明の開示】
そこで、本発明の目的は、上記問題を解消することのできる方法及びこの方法を実施する装置を提供することである。これは、以下に述べる方法、即ち少なくとも１つの無線ベアラを通して移動ステーションへの接続を有するネットワーク部分を備えたセルラー無線ネットワークの接続を再構成する方法により達成される。この方法によれば、接続の第１当事者は、接続の第２当事者に、少なくとも１つの無線ベアラを含む無線ベアラ再構成要求メッセージを送信し、そして接続の第２当事者は、接続の第１当事者に、上記無線ベアラ再構成要求メッセージに対する応答メッセージを送信する。
【０００５】
又、本発明は、ネットワーク部分のネットワーク層のプロトコルソフトウェアを備え、このソフトウェアは、少なくとも１つの無線ベアラを経て移動ステーションへの接続を有するように構成され、更に、移動ステーションのネットワーク層のプロトコルソフトウェアを備え、このソフトウェアは、少なくとも１つの無線ベアラを経てネットワーク部分への接続を有するように構成されたセルラー無線ネットワークにも係る。ネットワーク部分のネットワーク層のプロトコルソフトウェアは、移動ステーションのネットワーク層のプロトコルソフトウェアに、少なくとも１つの無線ベアラを含む無線ベアラ再構成要求メッセージを送信するように構成され、そして移動ステーションのネットワーク層のプロトコルソフトウェアは、ネットワーク部分のネットワーク層のプロトコルソフトウェアに、上記無線ベアラ再構成要求メッセージに対する応答メッセージを送信するように構成される。
【０００６】
更に、本発明は、ネットワーク部分のネットワーク層のプロトコルソフトウェアを備え、このソフトウェアは、少なくとも１つの無線ベアラを経て移動ステーションへの接続を有するように構成され、更に、移動ステーションのネットワーク層のプロトコルソフトウェアを備え、このソフトウェアは、少なくとも１つの無線ベアラによりネットワーク部分への接続を有するように構成されたセルラー無線ネットワークにも係る。移動ステーションのネットワーク層のプロトコルソフトウェアは、ネットワーク部分のネットワーク層のプロトコルソフトウェアに、少なくとも１つの無線ベアラを含む無線ベアラ再構成要求メッセージを送信するように構成され、そしてネットワーク部分のネットワーク層のプロトコルソフトウェアは、移動ステーションのネットワーク層のプロトコルソフトウェアに、上記無線ベアラ再構成要求メッセージに対する応答メッセージを送信するように構成される。
【０００７】
更に、本発明は、少なくとも１つの無線ベアラを経て移動ステーションへの接続を有するネットワーク部分を備えたセルラー無線ネットワークの接続を再構成する方法にも係る。接続の第１当事者は、接続の第２当事者に、少なくとも１つの無線ベアラを含む無線ベアラ再構成要求メッセージを送信する。
本発明の好ましい実施形態は、従属請求項に記載する。
本発明は、いずれかの通信当事者が、必要なときに、無線ベアラの再構成を要求できることをベースとする。
【０００８】
本発明の方法及びシステムは多数の効果を発揮する。本発明の解決策は、無線ベアラを使用するシステムにおいて再構成を柔軟に実施できるようにする。複数の無線ベアラを同時に再構成することができ、従って、必要なメッセージの数が減少され、ひいては、無線リソースに対する負荷が減少される。必要なときに、シグナリングに使用される無線ベアラの再構成を接続設定時に行うことができ、従って、おそらく必要となるであろうシグナリング無線ベアラの再割り当てを回避することができる。
【０００９】
【発明を実施するための最良の形態】
以下、添付図面を参照して、本発明の好ましい実施形態を詳細に説明する。
図１を参照し、本発明の典型的なセルラー無線ネットワーク構造を説明する。図１は、本発明の説明にとって重要なブロックしか含まないが、通常のセルラー無線ネットワークは、ここで詳細に説明する必要のない他の機能や構造も含むことが当業者に明らかであろう。ここでは、ＴＤＭＡ（時分割多重アクセス）を用いたセルラー無線ネットワークについて説明するが、本発明は、これに限定されるものではない。本発明は、ＧＳＭベースのセルラー無線ネットワーク、即ち少なくとも一部分はＧＳＭ仕様をベースとするシステムにも適用できる。その一例は、ＵＭＴＳ（ユニバーサル移動電話システム）である。
【００１０】
セルラー無線ネットワークは、一般に、固定のネットワークインフラストラクチャー即ちネットワーク部分１２８と、移動ステーション１５０とを備え、移動ステーションは、固定取り付けされたターミナルでもよいし、乗物に搭載されたターミナルでもよいし、又はハンドヘルド型のポータブルターミナルでもよい。ネットワーク部分１２８は、ベースステーション１００を含む。複数のベースステーション１００が、それらと通信するベースステーションコントローラ１０２によって集中的に制御される。ベースステーション１００は、トランシーバ１１４を備えている。ベースステーション１００は、通常、１ないし１６個のトランシーバ１１４を含む。例えば、ＴＤＭＡ無線システムでは、トランシーバ１１４は、１ＴＤＭＡフレーム、即ち通常は８個のタイムスロットまでの無線容量を与える。
【００１１】
ベースステーション１００は、トランシーバ１１４及びマルチプレクサ１１６の動作を制御する制御ユニット１１８を備えている。マルチプレクサ１１６は、複数のトランシーバ１１４により使用されるトラフィック及び制御チャンネルを１つのデータリンク１６０上に配列する。
ベースステーション１００のトランシーバ１１４は、アンテナユニット１１２に接続され、これは、移動ステーション１５０への両方向無線接続１７０を与えるのに使用される。又、両方向無線接続１７０で送信されるフレームの構造は、詳細に決定され、この接続は、エアインターフェイスと称する。
【００１２】
図２は、トランシーバ１１４の構造を詳細に示す。受信器２００は、所望の周波数帯域以外の周波数を阻止するフィルタを含む。次いで、信号は、中間周波に変換されるか又は基本帯域に直接変換され、この形態において、信号は、アナログ／デジタルコンバータ２０２でサンプリング及び定量化される。イコライザ２０４は、例えば、多経路伝播によって生じる干渉を補償する。復調器２０６は、イコライズされた信号からビット流を取り出し、これはデマルチプレクサ２０８へ送られる。デマルチプレクサ２０８は、個別のタイムスロットからのビット流をその論理的チャンネルへと分離する。チャンネルコーデック２１６は、個別の論理的チャンネルのビット流をデコードし、即ちそのビット流が、制御ユニット２１４へ送信されるシグナリングデータであるか、又はそのビット流が、ベースステーションコントローラ１０２のスピーチコーデック１２２へ送信される（２４０）スピーチであるかを判断する。又、チャンネルコーデック２１６は、エラー修正も実行する。制御ユニット２１４は、異なるユニットを制御することにより内部制御機能を実行する。バースト成形器２２８は、スピーチコーデック２１６から到着するデータにトレーニングシーケンス及びテールを追加する。マルチプレクサ２２６は、各バーストに特定のタイムスロットを指定する。変調器２２４は、高周波の搬送波にデジタル信号を変調する。この動作は、アナログの性質であり、従って、これを行うにはデジタル／アナログコンバータ２２２が必要とされる。送信器２２０は、帯域巾を制限するフィルタを備えている。更に、送信器２２０は、送信の出力電力を制御する。シンセサイザー２１２は、異なるユニットに必要な周波数を整理する。シンセサイザー２１２のクロックは、ローカル位置で制御することもできるし、又はいずれかの場所、例えば、ベースステーションコントローラ１０２から集中制御することもできる。シンセサイザー２１２は、例えば、電圧制御発振器により必要な周波数を形成する。
【００１３】
図２に示すように、トランシーバの構造は、更に、高周波部分２３０と、ソフトウェアを含むデジタル信号プロセッサ２３２とに分割することができる。高周波部分２３０は、受信器２００と、送信器２２０と、シンセサイザー２１２とを備えている。ソフトウェアを含むデジタル信号プロセッサ２３２は、イコライザ２０４と、復調器２０６と、デマルチプレクサ２０８と、チャンネルコーデック２１６と、制御ユニット２１４と、バースト成形器２２８と、マルチプレクサ２２６と、変調器２２４とを備えている。アナログ／デジタルコンバータ２０２は、アナログ無線信号をデジタル信号に変換するのに必要とされ、そして対応的に、デジタル／アナログコンバータ２２２は、デジタル信号をアナログ信号に変換するのに必要とされる。
【００１４】
ベースステーションコントローラ１０２は、グループスイッチングフィールド１２０と、制御ユニット１２４とを備えている。グループスイッチングフィールド１２０は、スピーチ及びデータをスイッチングし、そしてシグナリング回路を接続するのに使用される。ベースステーション１００及びベースステーションコントローラ１０２は、トランスコーダ１２２を更に含むベースステーションシステム１２６を形成する。トランスコーダ１２２は、通常、移動交換センター１３２にできるだけ接近して配置される。というのは、このようにすれば、セルラー無線ネットワークの形態でトランスコーダ１２２とベースステーションコントローラ１０２との間にスピーチを送信することができ、送信容量を節約できるからである。ＵＭＴＳでは、ベースステーションコントローラ１０２は、ＲＮＣ（無線ネットワークコントローラ）と称することができる。
【００１５】
トランスコーダ１２２は、公衆交換電話ネットワークとセルラー無線ネットワークとの間に使用される異なるデジタルスピーチコードモードを適合させるように変換し、例えば、６４ｋビット／ｓの固定ネットワークからセルラー無線ネットワークの別の形態（例えば、１３ｋビット／ｓ）へ変換し、及びそれとは逆にも変換する。制御ユニット１２４は、コール制御、移動管理、そして統計学的データ及びシグナリングの収集を実行する。
【００１６】
ＵＭＴＳは、ＩＷＵ（インターワーキングユニット）１９０を使用して、ベースステーションシステム１２６が第２世代のＧＳＭ移動交換センター１３２又は第２世代のパケット送信ネットワークサポートノード１８０と相互作用するようにさせる。ベースステーションシステムがＵＭＴＳの移動交換センター又はＵＭＴＳのサポートノードに接続されたときには、ＩＷＵは必要とされない。図１に示すように、移動ステーション１５０から、移動交換センター１３２を経て、ＰＳＴＮ（公衆交換電話ネットワーク）１３４に接続された電話１３６へ回路交換接続を確立することができる。ＧＳＭフェーズ２＋パケット送信、即ちＧＰＲＳ（汎用パケット無線サービス）のようなパケット交換接続も、セルラー無線ネットワークに使用することができる。パケットネットワーク１８２とＩＷＵ１９０との間の接続は、サポートノード１８０（ＳＧＳＮ＝サービスＧＰＲＳサポートノード）によって形成される。サポートノード１８０の機能は、ベースステーションシステムとゲートウェイノード（ＧＧＳＮ＝ゲートウェイＧＰＲＳサポートノード）１８４との間でパケットを転送し、そしてそのエリア内における移動ステーション１５０の位置の記録を保持することである。
【００１７】
ＩＷＵ１９０は、図１に示すように物理的に別々のデバイスでもよいし、或いはベースステーションコントローラ１０２又は移動交換センター１３２の一部分として一体化することもできる。図１に示すように、転送されるべきデータをトランスコードすることが許されないときには、パケット送信データは、トランスコーダ１２２を経てＩＷＵ１９０とグループスイッチングフィールド１２０との間で必ずしも転送されない。
ゲートウェイノード１８４は、パケットネットワーク１８２及び公衆パケットネットワーク１８６を接続する。インターフェイスは、インターネットプロトコル又はＸ．２５プロトコルによって形成することができる。ゲートウェイノード１８４は、パケットネットワーク１８２の内部構造をカプセル化し、従って、それを公衆パケットネットワーク１８６からマスクし、従って、公衆パケットネットワーク１８６に対して、パケットネットワーク１８２は、サブネットワークのように見え、そして公衆パケットネットワークは、サブネットワークに配置された移動ステーション１５０へパケットをアドレスしたりそこからパケットを受信したりすることができる。
【００１８】
典型的なパケットネットワーク１８２は、インターネットプロトコルを適用しそしてシグナリング及びトンネル型ユーザデータを搬送するプライベートネットワークである。ネットワーク１８２の構造は、そのアーキテクチャー、及びインターネットプロトコル層より低いそのプロトコルの両方についてオペレータにより変更することができる。
公衆パケットネットワーク１８６は、例えば、このネットワークへの接続をもつサーバのようなターミナル１８８が、移動ステーション１５０にアドレスされたパケットの送信を希望するところのグローバルなインターネットネットワークである。
【００１９】
移動交換センター１３２は、無線電話システムのオペレーションを制御及び監視するＯＭＣ（オペレーション及びメンテナンスセンター）に接続される。このＯＭＣ１３２は、通常、特定のソフトウェアが設けられた非常に効率的なコンピュータである。又、制御は、システムの個別の部分を含むこともできる。というのは、制御データ転送に必要な制御チャンネルを、システムの異なる部分間に確立されたデータ送信接続上に配置できるからである。
更に、ネットワークをインストールしそしてオペレーションを制御する操作者は、おそらく、個別のネットワーク要素を管理するためにＥＭ（エレメントマネージャー）１４０を含むポータブルコンピュータを有している。図示された例では、デバイス１４０が、ベースステーション１００の制御ユニット１１８に配置されたデータ送信ポートに接続され、従って、例えば、ベースステーションのオペレーションを調整するパラメータの値を検討しそして変更することによりベースステーション１００のオペレーションを監視しそして制御することができる。
【００２０】
移動ステーション１５０の構造は、図２のトランシーバ１１４の説明を利用して説明することができる。移動ステーション１５０の構造部分は、オペレーション上は、トランシーバ１１４と同じである。移動ステーション１５０は、更に、アンテナ１１２と受信器２００との間、及びアンテナ１１２と送信器２２０とインターフェイス部分及びスピーチコーデックとの間にデュープレックスフィルタを含む。スピーチコーデックは、バス２４０を経てチャンネルコーデック２１６に接続される。
本発明は、セルラー無線ネットワークに使用されるプロトコルの処理に係るので、必要なプロトコルスタックの実施を示す例を図３について説明する。図３の最も左側のプロトコルスタックは、移動ステーション１５０に配置されたプロトコルスタックである。次のプロトコルスタックは、ベースステーションシステム１２６に配置されたものである。第３のプロトコルスタックは、ＩＷＵ１９０に配置される。最も右側のプロトコルスタックは、移動交換センター１３２に配置される。移動ステーション１５０とベースステーションシステムとの間の無線接続１７０によって形成されるエアインターフェイス１７０は、Ｕｍインターフェイスとも称される。ベースステーションシステム１２６と移動交換センター１３２との間のインターフェイス１６２は、Ａインターフェイスと称される。ベースステーションシステム１２６とＩＷＵとの間のインターフェイスは、Ｉｕインターフェイス３００である。
【００２１】
これらのプロトコルスタックは、ＩＳＯ（国際標準化機構）のＯＳＩ（オープンシステムズインターコネクション）モデルに基づいて形成される。このＯＳＩモデルでは、プロトコルスタックが層に分割される。多数の層が存在する。各デバイス１５０、１２６、１９０、１３２における層は、別のデバイスの層と論理的に通信する。互いに直接通信するのは、最下位の物理的層だけである。他の層は、その下の層により提供されるサービスを常に使用する。それ故、メッセージは、層と層との間で物理的に垂直方向に移動しなければならず、最下位層のみにおいて、メッセージは層と層との間を水平方向に移動する。
【００２２】
実際のビットレベルデータ送信は、最下位（第１）層、即ち物理的層「層１」を経て行なわれる。物理的層では、物理的送信リンクに接続するための機械的、電子的及び動作的特性が決定される。ＧＳＭのエアインターフェイス１７０における物理的層は、ＴＤＭＡ技術により与えられる。ＵＭＴＳでは、物理的層は、ＷＣＤＭＡ及びＴＤ／ＣＤＭＡを使用することにより与えられる。物理的層は、第２層に搬送チャンネルを経て搬送サービスを与える。搬送チャンネルは、ＲＡＣＨ（ランダムアクセスチャンネル）、ＦＡＣＨ（順方向アクセスチャンネル）、ＰＣＨ（ページングチャンネル）、ＢＣＨ（ブロードキャストチャンネル）、及びＤＣＨ（専用チャンネル）である。搬送チャンネルパラメータは、エンコード、即ち外部及び内部コード化、インターリーブ、ビットレート、及び物理的チャンネルへのマッピングを含む。ＷＣＤＭＡでは、搬送チャンネルにより使用される物理的チャンネルは、コードで決定される。チャンネル化コード即ち拡散コードは、拡散比を決定し、即ち使用されるべき最大ビットレートも決定する。チャンネル化コードは、アップリンク及びダウンリンクに対して別々に決定され、そして必要なビットレートに基づいて、１つ以上の並列コードを同時に使用することができる。スクランブルコードは、アップリンクでは異なる移動ステーションを互いに分離し、そしてダウンリンクでは異なるセル又はセルのセクタを分離する。
【００２３】
次の（第２）層、即ちデータリンク層は、物理的層のサービスを利用して、例えば、送信エラーの修正を含む確実なデータ送信を与える。データリンクは、上位層に論理的チャンネルを経てデータ送信サービスを与える。論理的チャンネルは、ＣＣＣＨ（共通制御チャンネル）、ＰＣＣＨ（ページング制御チャンネル）、ＢＣＣＨ（ブロードキャスト制御チャンネル）、ＤＣＣＨ（専用制御チャンネル）、及びＤＴＣＨ（専用トラフィックチャンネル）を含む。これらの論理的チャンネルは、データ転送に使用される方法及びパラメータを決定する搬送チャンネルとは異なり、送信されるべきデータを決定する。ＤＴＣＨは、ユーザ平面の上位層にサービスを与え、制御平面の上位プロトコル層に他の全ての論理的チャンネルを与える。
【００２４】
エアインターフェイス１７０におけるデータリンク層は、ＲＬＣ／ＭＡＣサブ層とＬＬＣサブ層にと分割される。ＲＬＣ／ＭＡＣサブ層では、ＲＬＣ部分が、送信されるべきデータをセグメント化しそして収集するという役割を果たす。更に、ＲＬＣ部分は、物理的層の無線インターフェイス１７０におけるクオリティの変動を上位層からマスクする。以下に述べるサブ層ＲＲＣは、物理的層により与えられる物理的コードチャンネル及び搬送チャンネルの割り当て、再構成及び解除を制御する。ＭＡＣ部分は、ＲＲＣサブ層のコマンドにより実際の割り当て／構成／解除を実行する。又、ＭＡＣ部分は、割り当てが必要であることをＲＲＣサブ層に指示することもできる。ユーザ平面では、ＬＬＣサブ層は、第１層と第２層との間のインターフェイスにおけるデータの流れを制御する。ＬＬＣは、与えられるサービスのサービスクオリティに必要とされるエラー検出及び修正レベルを介して無線接続１７０上に受信データ流を転送する。制御平面では、以下に述べる無線ネットワークサブ層がＲＬＣ／ＭＡＣサブ層と直接通信する。
【００２５】
第３層即ちネットワーク層は、移動ステーション間の接続を考慮して、データ送信及びスイッチング技術の独立性を上位レベルに与える。ネットワーク層は、例えば、接続設定、維持及び解除を行う。ＧＳＭネットワーク層は、シグナリング層としても知られている。これは、２つの主たる機能を有し、即ちメッセージをルート指定すると共に、２つのエンティティ間に複数の独立した同時接続を与えることができるようにする。
共通のＧＳＭシステムのネットワークレベルは、接続マネージメントサブ層ＣＭと、移動マネージメントサブ層ＭＭと、無線リソースマネージメントサブ層とを備えている。
【００２６】
無線リソースマネージメントサブ層は、周波数スペクトルを管理しそして変化する無線環境に対してシステムを反応させる役割を果たす。更に、例えば、チャンネルの選択、チャンネルの解除、おそらく周波数ホッピングシーケンス、電力調整、タイミング、移動ステーション測定報告の受信、タイミング進みの調整、暗号設定、及びセル間のハンドオーバーを行うことにより、クオリティの高いチャンネルを維持するという役割も果たす。このサブ層のメッセージは、移動ステーション１５０とベースステーションコントローラ１０２との間で転送される。
【００２７】
移動マネージメントサブ層ＭＭは、移動ステーションユーザの移動によって生じた結果であって、無線リソースマネージメントサブ層のオペレーションに直接関係しない結果を取り扱う。固定ネットワークでは、このサブ層は、ユーザの権限をチェックしそしてユーザをネットワークに接続する処理を行う。従って、セルラー無線ネットワークでは、当該サブ層は、ユーザの移動、移動により生じるデータの登録及び管理をサポートする。又、サブ層は、移動ステーションの認識と、許されたサービスの認識とをチェックする。サブ層に関連したデータ送信は、移動ステーション１５０と移動交換センター１３２との間で行なわれる。
【００２８】
接続マネージメントサブ層ＣＭは、回路交換コールマネージメントに関連した全てのオペレーションを管理する。含まれるオペレーションは、コールマネージメントエンティティによって与えられる。更に、ＳＭＳ（ショートメッセージサービス）のような他のサービスは、個別のエンティティによって与えられる。接続マネージメントサブ層は、ユーザの移動を検出しない。それ故、ＧＳＭ接続マネージメントサブ層のオペレーションは、固定ネットワークのＩＳＤＮ（サービス総合デジタル網）からほぼ直接的に受け継がれる。コールマネージメントエンティティは、コールを設定し、維持しそして解除する。これは、移動ステーション１５０により発信され及び移動ステーション１５０に着信するコールに適用される特定の手順を有する。又、このサブ層では、メッセージが移動ステーション１５０と移動交換センター１３２との間で転送される。
【００２９】
通常の物理的ＧＳＭ層に使用されるＴＤＭＡ技術は、ＵＭＴＳにおいて、アップリンク及びダウンリンクに異なる周波数帯域が使用されるときには広帯域ＣＤＭＡ技術（コード分割多重アクセス）に置き換えられ、そして時分割デュープレックス方法をベースとする１つの同じ周波数帯域がアップリンク及びダウンリンクの両方に使用されるときにはＣＤＭＡ及びＴＤＭＡ技術の広帯域の組合せに置き換えられる。この場合に、ＧＳＭ無線リソースマネージメントサブ層は、ＵＭＴＳに再使用することができず、アップ方向に対応するサービスを与える無線ネットワークサブ層ＲＮＬに置き換えられる。無線ネットワークサブ層は、ＲＢＣ（無線ベアラ制御）及びＲＲＣ（無線リソース制御）サブ層に分割することができ、又、１つのエンティティとして保持することもできる。１つのエンティティとして保持されるときには、ＲＲＣサブ層とも称することができる。サブ層への分割が適用される場合には、ＲＲＣサブ層は、例えば、セルデータのブロードキャスト及びページング、移動ステーション１５０の測定結果の処理、及びハンドオーバーを実行する。ＲＢＣサブ層は、論理的接続の確立を与え、これにより、例えば、無線ベアラのビットレート、ビット／エラー比、及び当該送信がパケット交換であるか回路交換であるかを決定する。
【００３０】
第２世代システムの上位プロトコル層が使用されるときには、移動ステーション１５０は、移動マネージメントサブ層と無線ネットワークサブ層との間にＵＡＬ（ＵＭＴＳ適応層）サブ層を必要とし、このＵＡＬサブ層は、上位の移動マネージメントサブ層のプリミティブを下位の無線ネットワークサブ層のプリミティブへ変更する。ＵＡＬ層は、複数の個別の移動マネージメントサブ層（例えば、ＧＰＲＳ及びＧＳＭ移動マネージメントサブ層）を１つの同じ無線ネットワークサブ層へと配列することができる。
【００３１】
ベースステーションシステム１２６において処理される唯一のネットワークサブ層は、無線ネットワークサブ層であり、接続マネージメント及び移動マネージメントサブ層のメッセージは透過的に処理され、換言すれば、それらは、特定のサブ層を経て単に前後に転送される。ＲＡＮＡＰ（無線アクセスネットワークアプリケーションパート）サブ層は、回路交換及びパケット交換の両接続を交渉及び管理するための手順を与える。これは、ＧＳＭのＢＳＳＡＰ（ベースステーションシステムアプリケーションパート）に対応し、このＢＳＳＡＰは、ＢＳＳＭＡＰ（ベースステーションシステムマネージメントパート）及びＤＴＡＰ（直接転送アプリケーションパート）を含む。
【００３２】
Ｉｕインターフェイス３００の下位層は、例えば、ＡＴＭ（非同期転送モード）プロトコル、即ちＳＡＡＬ／ＳＳ７（シグナリングＡＴＭ適応層／シグナリングシステムナンバー７）、ＡＡＬ（ＡＴＭ適応層）によって実施することができる。
ＩＷＵ１９０は、ＲＡＮＡＰ、ＳＡＡＬ／ＳＳ７、ＡＡＬサブ層と、ベースステーションシステム１２６に対応する物理的層とを備えている。
ＩＷＵ１９０及び移動交換センター１３２は、更に、ＢＳＳＭＡＰサブ層を備え、これを経て、特定の移動ステーション１５０に関連したデータ及びベースステーションシステム１２６に関連した制御データがＩＷＵ１９０と移動交換センター１３２との間で転送される。
【００３３】
Ａインターフェイスでは、第１及び第２のサブ層がＭＴＰ及びＳＣＣＰ（メッセージ転送パート及びシグナリング接続制御パート）サブ層により実施される。この構造は、エアインターフェイス１７０の場合より簡単である。というのは、例えば、移動マネージメントが必要とされないからである。
図１、２及び３を参照して、本発明を使用できるシステム及びシステムプロトコルの例を説明したが、本発明の実際の方法について以下に説明する。上記プロトコルの説明では、本発明によるオペレーションが特に無線ネットワークサブ層ＲＮＬにおいて行なわれ、そして当該サブ層分割が適用される場合には特にそのＲＢＣサブ層において行われることを示した。
【００３４】
サブ層への分割が適用されない場合には、ＲＢＣサブ層が存在せず、従って、無線ネットワークサブ層ＲＮＬは、その唯一のサブ層に基づきＲＲＣサブ層と称することができ、これに基づく好ましい実施形態のプロトコルスタックが図５に示されている。本発明は主として制御平面に係るので、図５は、制御平面プロトコルスタックしか示していない。移動電話システムの主たる部分は、コアネットワーク、ＵＭＴＳ地上無線アクセスネットワークＵＴＲＡＮ及び移動ステーションＭＳである。移動ステーションはＵＥ（ユーザ装置）とも称される。コアネットワークとＵＴＲＡＮとの間のインターフェイスは、Ｉｕと称され、そしてＵＴＲＡＮと移動ステーションとの間のエアインターフェイスは、Ｕｕと称される。
ＵＴＲＡＮは、無線ネットワークサブシステムを含む。無線ネットワークサブシステムは、無線ネットワークコントローラ及び１つ以上のいわゆるＢノード、即ちベースステーションを含み、従って、これは、ＧＳＭベースステーションシステムとほぼ同様である。
【００３５】
コアネットワークは、ＵＴＲＡＮの外部の移動電話システムインフラストラクチャー、例えば、移動交換センターを含む。
図５は、移動ステーションＭＳ、無線アクセスネットワークＵＴＲＡＮ、及び移動交換センターＭＳＣにより使用されるプロトコルスタックを示す。図３とは異なり、ＩＷＵは図示されていない。というのは、使用する移動交換センターＭＳＣがＵＭＴＳ用に設計されると仮定しているからである。エアインターフェイスＵｕにおける物理的層は、広帯域ＣＤＭＡ技術ＷＣＤＭＡＬ１によって実施される。ＲＬＣ及びＭＡＣサブ層が次に続く。ＬＬＣサブ層は、制御平面には使用されず、ＲＲＣサブ層は、ＲＬＣ／ＭＡＣサブ層に直結される。Ｉｕインターフェイスの下位の搬送層ＴＲＡＮＳＰＯＲＴ  ＬＡＹＥＲＳは、種々の方法で実施できるので、図３のように詳細に示されていない。その他の点では、図３の説明が図５に適宜使用される。
【００３６】
図４Ａは、無線ベアラ再構成を実行するときに移動ステーションの無線ネットワークサブ層ＭＳ  ＲＮＬがネットワーク部分の無線ネットワークサブ層ＮＰ  ＲＮＬといかに通信するかを示すメッセージシーケンス図である。図４Ａは、通信の全ての細部を示しておらず、即ち下位データリンク層及び物理的層においてメッセージがいかに進行するかを示していない。図示された通信は、ピア／ピア通信として知られているものである。再構成要求メッセージは、無線ネットワークサブ層メッセージである。
【００３７】
無線ベアラ再構成は、次のように開始することができる。
１．コール制御平面においてサービスパラメータが交渉された後に、上位層により；
２．無線リソースの使用をガイドするアルゴリズムを適用して、ＲＲＣサブ層により；そして
３．トラフィック量監視のためにＭＡＣサブ層のような低いレベルによるか、又は最大送信電力限界に到達した後に物理的層により。
再構成の理由は、例えば、過負荷状態、又は無線ベアラクオリティの低下である。無線ベアラ再構成は、送信者及び受信者の両方によって要求することができ、即ち送信者は、例えば、付加的な容量が必要なとき、そして受信者は、クオリティが低過ぎることを検出したときに要求することができる。
【００３８】
図４Ａにおいて、移動ステーション無線ネットワークサブ層ＭＳ  ＲＮＬは、再構成要求メッセージＢＥＡＲＥＲ＿ＲＥＣＯＮＦ＿ＲＥＱをネットワーク部分の無線ネットワークサブ層へ送信する（４００Ａ）。このメッセージは、無線ベアラ識別子ＢＩＤと、当該ベアラのサービスクオリティＢＥＡＲＥＲ  ＱＯＳとを含んでいる。このメッセージは、ＢＩＤ／ＢＥＡＲＥＲ  ＱＯＳ対を２つ以上含み、即ち複数の個別の無線ベアラの再構成を要求するのに１つのメッセージを使用することである。
【００３９】
要求された再構成４０２Ａは、ネットワーク部分において実行される。再構成が成功であった場合には、ネットワーク部分は、応答メッセージＢＥＡＲＥＲ＿ＣＯＭＰＬを送信し（４０４Ａ）、再構成が成功したことを通知する。この応答メッセージは、無線ベアラ識別子ＢＩＤと、与えられたサービスのクオリティＢＥＡＲＥＲ  ＱＯＳとを含む。実施の仕方に基づき、ＬＬＣサブ層及び／又はＲＬＣサブ層のパラメータを転送することもできる。別の選択肢として、移動ステーションは、サービスクオリティパラメータＢＥＡＲＥＲ  ＱＯＳから、当該ＬＬＣサブ層及び／又はＲＬＣサブ層パラメータをデコードし、この場合、それらは、応答メッセージＢＥＡＲＥＲ＿ＣＯＭＰＬにおいて転送される必要はない。
【００４０】
再構成が失敗した場合には、ネットワーク部分は、応答メッセージＢＥＡＲＥＲ＿ＦＡＩＬを送信し（４０６Ａ）、再構成が失敗であったことを通知する。この場合に、応答メッセージは、無線ベアラ識別子ＢＩＤと、再構成の失敗に対する原因ＣＡＵＳＥとを含む。
無線ネットワークサブ層ＭＳ  ＲＮＬが再構成要求メッセージＢＥＡＲＥＲ＿ＲＥＣＯＮＦ＿ＲＥＱにおいて多数の無線ベアラの再構成を要求した場合、及び全ての再構成が成功である場合には、応答メッセージＢＥＡＲＥＲ＿ＣＯＭＰＬが送信され、上述した全ての部分が各無線ベアラに対しメッセージにおいて繰り返される。同様に、全ての再構成が失敗した場合には、上記応答メッセージＢＥＡＲＥＲ＿ＦＡＩＬが送信され、上記部分、即ち無線ベアラ識別子ＢＩＤ、及び再構成失敗の原因ＣＡＵＳＥが各無線ベアラごとにメッセージにおいて繰り返される。ある再構成が成功しそして他の再構成が失敗した場合には、成功した再構成及び失敗した再構成に対して個別の応答メッセージが送信されるか、又は成功した再構成応答メッセージＢＥＡＲＥＲ＿ＣＯＭＰＬ及び失敗した再構成応答メッセージＢＥＡＲＥＲ＿ＦＡＩＬの構造を合成した１つのメッセージのみが送信される。この場合に、応答メッセージの構造は、例えば、次の通りである：（ＢＩＤ、ＢＥＡＲＥＲ  ＱＯＳ、［ＬＬＣ、ＲＬＣ］、ＢＩＤ、ＣＡＵＳＥ））。識別子ｂｉｄ１、ｂｉｄ２及びｂｉｄ３を有する３つの別々の無線ベアラを構成すべきであると仮定する。更に、ｂｉｄ１の再構成が成功し、一方、他の再構成が失敗したと仮定する。この場合に、単一の応答メッセージは、次のものを含む：ｂｉｄ１、ｂｉｄ１  ｑｏｓ、［ｂｉｄ１  ｌｉｃ、ｂｉｄ１、ｒｉｃ］、ｂｉｄ２、ｂｉｄ２  ｃａｕｓｅ、ｂｉｄ３、ｂｉｄ３  ｃａｕｓｅ。
【００４１】
応答メッセージを受信すると、移動ステーションのプロトコルソフトウェアは、その送信又は受信パラメータを再構成成功の結果として変更するか、又は次の手順を再構成失敗の結果としてプランニングし始める。
移動ステーションにより開始される無線ベアラ再構成を実行するための別のやり方は、移動ステーションが、コール制御平面を経て移動交換センターへユーザサービスパラメータを再構成する必要があることを通知することである。移動交換センターは、サービスパラメータを無線ネットワークコントローラに送信し、そこで、それらは無線ベアラパラメータに変更される。次いで、実際の再構成は、ネットワーク部分がそれを開始したのと同様に、即ち図４Ｂに示すように実行される。
【００４２】
図４Ｂは、ネットワーク部分によって開始される再構成手順を示す。ネットワーク部分無線ネットワークサブ層ＮＰ  ＲＮＬは、移動ステーションに配置されたピアＭＳ  ＲＮＬに再構成要求メッセージＢＥＡＲＥＲ＿ＲＥＣＯＮＦ＿ＲＥＱを送信する（４００Ｂ）。この場合も、再構成要求メッセージＢＥＡＲＥＲ＿ＲＥＣＯＮＦ＿ＲＥＱは、１つ以上の無線ベアラ識別子ＢＩＤと、それに対応するサービスクオリティＢＥＡＲＥＲ  ＱＯＳパラメータとを備えている。ＬＬＣサブ層及びＲＬＣサブ層パラメータは、ネットワーク部分において決定されるので、ネットワーク部分の無線ネットワークサブ層ＮＰ  ＲＮＬは、当該パラメータＬＬＣ、ＲＬＣを再構成要求メッセージＢＥＡＲＥＲ＿ＲＥＣＯＮＦ＿ＲＥＱにおいて直接転送することができる。移動ステーションの無線ネットワークサブ層ＭＳ  ＲＮＬは、再構成を開始する（４０２Ｂ）。再構成が成功した後に、移動ステーションは、応答メッセージＢＥＡＲＥＲ＿ＣＯＭＰＬを送信し（４０４Ｂ）、その唯一のパラメータは、無線ベアラ識別子ＢＩＤである。再構成が失敗した後に、移動ステーションは、無線ベアラ識別子ＢＩＤ及び失敗の原因ＣＡＵＳＥをパラメータとして含む応答メッセージＢＥＡＲＥＲ＿ＦＡＩＬを送信する（４０６Ｂ）。図４Ａに関連して説明したように、複数の無線ベアラを同時に再構成することができ、そして同様に、応答メッセージは、成功及び失敗の再構成に対する応答メッセージの合成であってもよい。
【００４３】
好ましい実施形態では、再構成の完了は、個別の応答メッセージの送信を必要とせず、むしろ、当事者は、オペレーションが実行された後に第１層の同期を検出することによって再構成の成功又は失敗を観察する。それ故、応答メッセージは、通常、同期が取り除かれた後に送信される。
好ましい実施形態では、ＢＥＡＲＥＲ＿ＲＥＣＯＮＦ＿ＲＥＱパラメータは、次のパラメータの少なくとも１つを含む。
−  無線ベアラ識別子ＢＩＤ；
−  当該ベアラの無線ベアラサービスクオリティＢＥＡＲＥＲ  ＱＯＳ；
−  無線ベアラ暗号パラメータ、例えば、暗号モードオン／オフ、任意の暗号アルゴリズム又はキー；
−  ＲＬＣ／ＭＡＣサブ層処理パラメータ、例えば、ＲＬＣプロトコルユニットサイズ、一時的移動ステーション認識、又は搬送フォーマットセット。ＭＡＣサブ層は、特定の瞬間に必要とされるビットレートに基づき１０ミリ秒の各物理層フレームに対して１送信フォーマットづつ搬送フォーマットセットから選択される；
−  物理層処理フォーマット、例えば、ダウンリンクチャンネル化コード、任意のアップリンクチャンネル化コード；及び
−  変更時間指示子、即ち再構成を実行すべきフレームの番号。
【００４４】
図４Ａ及び４Ｂに示された再構成方法の原理の相違は、ネットワーク部分が大きな判断力を有することである。図４Ａに基づく方法では、ネットワーク部分は移動ステーションにより要求されたサービスクオリティを変更することができ、一方、図４Ｂに基づく移動ステーションは、ネットワーク部分により決定されたサービスクオリティを受け入れるか又は拒絶することしかできない。移動ステーションは、ネットワーク部分により要求された再構成を拒絶しなければならないときに、おそらく、無線ベアラの解除又はハンドオーバーの実行を開始する。
再構成は、シグナリング無線ベアラ及び通信無線ベアラの両方について実施することができる。
【００４５】
無線ベアラのサービスクオリティＢＥＡＲＥＲ  ＱＯＳは、種々の方法で指示することができる。最も一般的な方法は、サービスクオリティを指示する少なくとも１つのパラメータを使用することである。パラメータは、例えばＬＬＣ及びＲＬＣサブ層にオペレーションパラメータを直接与えることにより、プロトコルのオペレーションを直接ガイドすることができる。又、パラメータは、異なるクオリティ特徴、例えば、最大ビットエラー率、最大許容送信遅延、送信遅延偏差、無線ベアラ優先順位、無線ベアラセキュリティ、ハンドオーバー時のデータロス、即ちハンドオーバーに関連してデータを失うことが許されるかどうかを示すこともできる。
【００４６】
本発明は、ソフトウェアにより実施されるのが好都合であり、従って、本発明は、ベースステーションコントローラ１０２の制御ユニット１２４に配置されたプロトコル処理ソフトウェア、及び移動ステーション１５０のトランシーバプロセッサ２１４に配置されたプロトコル処理ソフトウェアの機能を必要とする。
添付図面の例を参照して本発明を以上に説明したが、本発明は、これに限定されるものではなく、請求の範囲内で種々の変更がなされ得ることが明らかであろう。
【図面の簡単な説明】
【図１】  セルラー無線ネットワークの構造の一例を示す図である。
【図２】  トランシーバの構造を示す図である。
【図３】  セルラー無線ネットワークのプロトコルスタックを示す図である。
【図４Ａ】  移動ステーションにより開始される本発明の再構成手順を示すメッセージシーケンス図である。
【図４Ｂ】  ネットワーク部分により開始される本発明の再構成手順を示すメッセージシーケンス図である。
【図５】  １つの実施形態のプロトコルスタックを示す図である。
【図１】
0004002731.tif 000002
【図２】
0004002731.tif 000003
【図３】
0004002731.tif 000004
【図４Ａ】
0004002731.tif 000005
【図４Ｂ】
0004002731.tif 000006
【図５】
0004002731.tif 000007